(57)【要約】【課題】自転車運転者が自転車ハンドルを握るために手を差し入れたり、逆に自転車ハンドルから離した手を抜き出したりすることを容易、円滑に行なうことができ、また、構造簡単に安価に製作できる自転車ハンドルカバーを提供する。【解決手段】自転車ハンドル９のグリップ９１を握る自転車運転者の手Ｈをハンドルグリップ９１ごと覆うための筒状のカバー体１を含んでおり、カバー体１は、一端部側の部分に環状芯材２により環状に形が保たれている手挿入開口部１１を有し、他端部に自転車ハンドル９へのカバー体止め具３を設けた開口部１２を有している自転車ハンドルカバー１０。【選択図】図１０
2013173456.tif 000002
【特許請求の範囲】
【請求項１】
自転車ハンドルのグリップを握る自転車運転者の手を該ハンドルグリップごと覆うための筒状のカバー体を含んでおり、前記カバー体は、一端部側部分に環状芯材により環状に形が保たれている手挿入開口部を有し、他端部に前記自転車ハンドルへのカバー体止め具を設けた開口部を有していることを特徴とする自転車ハンドルカバー。
【請求項２】
前記手挿入開口部は前記環状芯材により内径８ｃｍ〜２０ｃｍの円形状に形が保たれている請求項１記載の自転車ハンドルカバー。
【請求項３】
前記カバー体は柔軟で折りたたみ可能なシートを主体に作製されている請求項１又は２記載の自転車ハンドルカバー。
【請求項４】
前記カバー体止め具は、前記カバー体の他端部に連結されたカバー体止め用紐からなっている請求項１、２又は３記載の自転車ハンドルカバー。
【請求項５】
前記カバー体止め具は、前記カバー体の他端部に設けられた紐通し部と、該紐通し部に通された開口部絞り用紐を含んでいる請求項１、２又は３記載の自転車ハンドルカバー。
【発明の詳細な説明】
【技術分野】
【０００１】
本発明は自転車ハンドルに装着して用いる自転車ハンドルカバーに関する。
【背景技術】
【０００２】
従来、自転車ハンドルカバーは日除け、防寒等のために種々提案され、実用化されてきた。例えば特開２００４-１６１２２８号公報（特許文献１）には、日焼け防止用の夏用の、上辺部二つ折り様の扁平筒状ハンドルカバーが記載されている。特開２００５−３５５０３号公報（特許文献２）には、自転車だけでなく自動二輪車用にも採用できる、主として冬季における防寒用の厚手の、上辺部二つ折り様の扁平筒状ハンドルカバーが記載されている。
【０００３】
これらハンドルカバーに対して比較的構造簡単、安価な自転車用ハンドルカバーも提案されている。図１７はそのような自転車ハンドルカバーの例を示している。図１７のハンドルカバー８は、柔軟な筒状のもので、片側の開口部８１から自転車ハンドル９に被せ嵌め、該開口部８１のところで自転車ハンドル９に抜け落ちないように止めて用いるものである。
【０００４】
自転車運転者は手をカバー８の自由端開口部８２からカバー８内へ差し入れ、ハンドルグリップ９１を握ることができる。
【先行技術文献】
【特許文献】
【０００５】
【特許文献１】特開２００４-１６１２２８号公報
【特許文献２】特開２００５−３５５０３号公報
【発明の概要】
【発明が解決しようとする課題】
【０００６】
しかしながら、図１７に示すタイプのハンドルカバーは、運転者が手を差し入れていないときは、図１７に実線で示すように、手を差し入れるための自由端開口部８２がハンドル９から外へ、且つ、ハンドルグリップ９１に引っ掛かってぶら下がった状態となる。
【０００７】
この状態から運転者が手を差し入れるときには、垂れ下ったカバーの自由端開口部８２を広げて、そこから手を差し入れなければならず、その作業は煩わしいものである。
【０００８】
また、自転車運転において転倒したときなど、手をいち早くハンドルから離すとともにハンドルカバーから抜きだすことが望ましい場合でも、手が柔軟なハンドルカバー８に引っ掛かったり、絡まったりして、ハンドルカバー８から手を迅速に抜きだすことが困難な場合がある。
【０００９】
たとえハンドルカバー８を比較的保形性のよいシート材で形成したとしても、運転者が手を差し入れていないときは、手を差し入れるための自由端開口部が閉じてしまったり、狭くなったりして、その状態から運転者が手を差し入れる作業は煩わしくなる。
【００１０】
自転車運転において転倒したときなど、手が該ハンドルカバーに引っ掛かって、ハンドルカバーから手を迅速に抜きだすことが困難となる恐れもある。
【００１１】
前記特許文献１や特許文献２に記載のハンドルカバーであれば、それらハンドルカバーは図１７のハンドルカバーと比べると保形性に富むように形成でき、その様に形成することで、手の出し入れが少しは容易になると考えられるが、それでも、前記ハンドルカバー８を比較的保形性のよいシート材で形成した場合と同様に、運転者が手を差し入れていないときは、手を差し入れるための自由端開口部が閉じてしまったり、狭くなったりして、その状態から運転者が手を差し入れる作業は煩わしくなる恐れがある。
【００１２】
また、自転車運転において転倒したときなど、手が該ハンドルカバーに引っ掛かって、ハンドルカバーから手を迅速に抜きだすことが困難となる場合もあると考えられる。
【００１３】
また、特許文献１や特許文献２に記載のハンドルカバーは構造が比較的複雑で、高価につく。
【００１４】
本発明は、自転車運転者が自転車ハンドルを握るために手を差し入れたり、逆に自転車ハンドルから離した手を抜き出したりすることを容易、円滑に行なうことができ、また、前記の従来の上辺部二つ折り様の扁平筒状ハンドルカバーと比べると、構造簡単に安価に製作できる自転車ハンドルカバーを提供することを課題とする。
【課題を解決するための手段】
【００１５】
本発明は、自転車ハンドルのグリップを握る自転車運転者の手を該ハンドルグリップごと覆うための筒状のカバー体を含んでおり、前記カバー体は、一端部側の部分に環状芯材により環状に形が保たれている手挿入開口部を有し、他端部に前記自転車ハンドルへのカバー体止め具を設けた開口部を有している自転車ハンドルカバーを提供する。
【００１６】
ここで、「カバー体の一端部側の部分」とは、本発明に係るハンドルカバーを自転車ハンドルに装着したとき、該ハンドルのグリップに対応する部分を含め、該部分から一端部までの部分である。従って、前記手挿入開口部の位置としては、カバー体の一端部、該一端部より他端部側へ寄った部分のいずれの場合も含まれる。また、前記環状芯材により環状に形が保たれている手挿入開口部は複数あってもよい。
【００１７】
本発明に係る自転車ハンドルカバーは、前記カバー体をカバー体止め具が設けられ開口部から自転車ハンドルに被せ嵌め、カバー体止め具で自転車ハンドルに止めて用いることができる。
【００１８】
本発明に係る自転車ハンドルカバーによると、自転車運転者がこの自転車ハンドルカバーに未だ手を差し入れていない状態では、前記環状芯材により環状に形が保たれている手挿入開口部が、それが設けられているカバー体上の位置に応じてハンドルグリップに掛かって支持された状態になったり、ハンドルグリップの外側でぶら下がった状態になる等する。
【００１９】
しかし、該手挿入開口部は環状芯材により環状に形が保たれているので、運転者はその環状に形が保たれた手挿入開口部へ容易、円滑に手を差し入れて自転車ハンドルを握ることができる。
【００２０】
運転者が手をハンドルから離してハンドルカバーから抜きだすときも、手挿入開口部は環状芯材により環状に形が保たれているので、容易、円滑に抜きだすことができる。自転車運転において転倒したときなどでも、手をハンドルから離すとともにハンドルカバーから素早く抜き出し易く、素早く手をハンドルカバーから抜き出せなかったら発生する恐れのある、より大きい損傷の発生を抑制できる。
【００２１】
従来の例えば特許文献１や特許文献２に記載されているような上辺部二つ折り様の扁平筒状ハンドルカバーと比べると、構造簡単であり、安価に製作できる。
【００２２】
前記手挿入開口部は、円形である必要はないが、例えば、前記環状芯材により内径８ｃｍ〜２０ｃｍの円形状に形が保たれている場合を例示できる。
【００２３】
前記筒状のカバー体は、保管、運搬、展示等に便利なように、柔軟で折りたたみ可能なシートを主体に作製されている場合（柔軟で折りたたみ可能なシートで作製されている場合を含む）を例示できる。ここで「シート」自体は、天然繊維からなる布地、合成繊維などの人造繊維からなる布地、天然繊維と人造繊維とからなる布地、不織布、合成樹脂フィルム等を含む概念であり、「柔軟で折りたたみ可能なシート」とはその様なシートから選ばれた柔軟で折りたたみ可能なシートである。
【００２４】
前記筒状カバー体は前記柔軟なシートと比べると保形性のあるシートを主体に形成されていてもよい。
【００２５】
前記カバー体止め具としては、前記カバー体の他端部に設けられた紐通し部と、該紐通し部に通された開口部絞り用紐を含んでいるものを例示できる。
【００２６】
前記カバー体止め具は、前記カバー体の他端部に連結されたカバー体止め用紐からなっているものでもよい。
【発明の効果】
【００２７】
以上説明したように本発明によると、自転車運転者が自転車ハンドルを握るために手を差し入れたり、逆に自転車ハンドルから離した手を抜き出したりすることを容易、円滑に行なうことができ、また、構造簡単に安価に製作できる自転車ハンドルカバーを提供することができる。
【図面の簡単な説明】
【００２８】
【図１】本発明に係る自転車ハンドルカバーの１例の正面図である。
【図２】図１の自転車ハンドルカバーの背面図である。
【図３】図１の自転車ハンドルカバーの平面図である。
【図４】図１の自転車ハンドルカバーの底面図である。
【図５】図１の自転車ハンドルカバーの右側面図である。
【図６】図１の自転車ハンドルカバーの左側面図である。
【図７】図１の自転車ハンドルカバーの図１のＡ―Ａ線に沿う拡大断面図である。
【図８】図１の自転車ハンドルカバーの図１のＢ―Ｂ線に沿う拡大断面図である。
【図９】図１の自転車ハンドルカバーの図１のＣ―Ｃ線に沿う断面図である。
【図１０】図１の自転車ハンドルカバーを自転車ハンドルに被着した例を示す図である。
【図１１】図１０の自転車ハンドルカバーに自転車運転者が手を差し入れてハンドルグリップを握った状態を示す図である。
【図１２】本発明に係る自転車ハンドルカバーの他の例を示図である。
【図１３】本発明に係る自転車ハンドルカバーのさらに他の例を示図である。
【図１４】本発明に係る自転車ハンドルカバーのさらに他の例を示図である。
【図１５】本発明に係る自転車ハンドルカバーのさらに他の例を概略的に示す斜視図である。
【図１６】本発明に係る自転車ハンドルカバーのさらに他の例を概略的に示す斜視図である。
【図１７】自転車ハンドルカバーの従来例を示す図である。
【発明を実施するための形態】
【００２９】
以下、本発明に係る自転車ハンドルカバーの例について図面を参照して説明する。
図１から図１１は本発明に係る自転車ハンドルカバーの１例１０を示しており、図１は正面図、図２は背面図、図３は平面図、図４は底面図、図５は右側面図、図６は左側面図である。図７は図１のＡ―Ａ線に沿う拡大断面図、図８は図１のＢ―Ｂ線に沿う拡大断面図、図９は図１のＣ―Ｃ線に沿う断面図である。
【００３０】
これらの図に示されるハンドルカバー１０は、自転車ハンドル９のグリップ９１（図１０等参照）を握る自転車運転者の手を該ハンドルグリップ９１ごと覆うための、柔軟で折りたたみ可能なシート製の筒状のカバー体１を含んでいる。
【００３１】
カバー体１は、一端部に環状芯材２により環状に形が保たれている手挿入開口部１１を有し、他端部に自転車ハンドルへのカバー体止め具３を設けた開口部１２を有している。
【００３２】
カバー体１は、それとは限定されないが本例では、長方形状に裁断した、柔軟で、折りたたみ可能な布地をその長手方向に延びる中心線で二つ折りし、それにより重ねられた、長手方向に延びる二つの自由端部１ａ、１ｂ（図７及び図８参照）を相互に縫着し、全体を裏返して筒状にして提供されている。
【００３３】
筒状カバー体１を形成している布地としては、それとは限定されないが、例えば、ポリアミド繊維からなる布地、ポリエステル繊維からなる布地等であって撥水加工を施したものや、防水加工を施したものから選択採用できる。
【００３４】
環状芯材２は手挿入開口部１１を環状形状に保つことができるものであればよく、例えば金属製でも、木材等の植物材製でも、合成樹脂製でもよいが、ここでは、折れたり、割れたりし難いようにやや柔軟性を有するポリエチレン製の円形リング部材を採用している。
【００３５】
この環状芯材（ここでは円形リング部材２）は、筒状カバー体１の一端部の開口から筒状カバー体１内に配置され、カバー体１の該一端部１ｃをリング部材２に巻きつけつつカバー体内へ巻き込み、カバー体１の内面に重ね、そこへ縫着することでカバー体１の一端部に取りつけられており、カバー体１の一端部開口部１１を内径が概ね１３ｃｍの円形に保っている。
【００３６】
カバー体止め具３は、本例では、筒状カバー体１の他端部分１ｄを紐通し部を形成するように筒状カバー体１の内側へまるめて縫着し、そうして形成した紐通し部３１に開口部絞り用紐の１例である紐３２を通して設けられている。
【００３７】
カバー体止め具３によると、紐通し部３１の外へ出ている紐３２の端部３２１，３２２を引いて他端部開口部１２を細く絞ることができ、逆にその様に絞られた開口部１２を手を添えて広げることができる。
【００３８】
以上説明した自転車ハンドルカバー１０は、図１０に例示するように、カバー体１をカバー体止め具３が設けられた他端部開口部１２から自転車ハンドル９に被せ嵌め、カバー体止め具３の紐３２の端部３２１、３２２を引いて他端部開口部１２を細く絞り止めることでハンドル９に装着できる。
【００３９】
このように自転車ハンドル９に取り付けられた自転車ハンドルカバー１０に自転車運転者が未だ手を差し入れていない状態では、リング部材２により円形状に形が保たれている手挿入開口部１１がハンドルグリップ９１等からぶら下がった状態となる。
【００４０】
しかし、手挿入開口部１１は円形リング部材２により環状に形が保たれているので、図１１に示すように、運転者はその挿入開口部１１から容易、円滑に手Ｈを差し入れて自転車ハンドル９（より正確にはハンドルグリップ９１）を握ることができる。
【００４１】
運転者が手Ｈをハンドル９から離してハンドルカバー１０から抜きだすときも、手挿入開口部１１は部材２により環状に形が保たれているので、容易、円滑に抜きだすことができる。自転車運転において転倒したときなどでも、手Ｈをハンドル９から離すとともにハンドルカバー１０から素早く抜き出し易く、素早く手をハンドルカバー１０から抜き出せなければ発生する恐れのある、より大きい損傷の発生を抑制できる。
【００４２】
ハンドルカバー１０は、従来の例えば特許文献１や特許文献２に記載されているような上辺部二つ折り様の扁平筒状ハンドルカバーと比べると、構造簡単であり、安価に製作できる。
【００４３】
自転車ハンドルカバー１０では、カバー体１の一端部開口部１１はリング部材２により内径が略１３ｃｍに保たれている。カバー体１の一端部開口部１１は、ハンドルカバー１０が自転車ハンドルに装着された状態で、該ハンドルカバーに運転者が手を差し入れて自転車ハンドルを握ったり、手をハンドルから離してハンドルカバーから抜き出したりすることを容易、円滑に行なえる寸法であればよく、また、大きすぎて運転者の手首等に沿って自転車のハンドルグリップ側にずれやすくなるなどにより、運転者の手を覆いにくくなってしまったり、自転車運転の妨げになったりしない寸法であればよく、前記の１３ｃｍに限定されない。手挿入開口部１１は広い観点から言えば、それとは限らないが、環状芯材により内径８ｃｍ程度以上２０ｃｍ程度以下、或いは１２ｃｍ程度以上２０ｃｍ程度以下、或いは１２ｃｍ程度以上１５ｃｍ程度以下に保たれている場合を例示できる。
【００４４】
また、カバー体止め具は前記のカバー体止め具３に限定されない。カバー体止め具は要するに、カバー体を自転車ハンドルに止めることができるものであればよく、例えば、それ自体既に知られている面ファスナを利用して前記カバー体の他端部の開口部を自転車ハンドルに絞り止めることができるものでもよく、また、簡易で、安価に済むものとして、前記カバー体の他端部の開口部に形成された紐通し部と、該紐通し部に通された開口絞り用リング状紐を含んでいるものを挙げることができる。該リング状紐としては、ゴム紐のように伸縮性のある紐であって前記他端部の開口部を拡開可能に絞っているリング状紐を例示できる。
【００４５】
また、カバー体止め具は、例えば、図１５に示すように、カバー体１の他端部１２に連結した紐３３１，３３２からなるものでもよい。また、図１６に示すように、カバー体１の他端部１２に布片を縫着する等して形成した紐通し部３４１，３４２に通した紐３５からなり、自転車ハンドル上のブレーキ取り付け具３６に引っ掛け、結び止めることができる簡単なものでもよい。
【００４６】
前記カバー体１は径が全体に均一な筒状カバー体であったが、カバー体１はそれに限定される必要はなく、例えば、図１２に示すように、カバー体他端部の開口部１２（１２ａ）がカバー体一端部の開口部１１より小さく形成されていたり、図１５に示すように、カバー体他端部の開口部１２（１２ｂ）が変形開口部に形成されているなどしてもよい。
【００４７】
前記手挿入開口部１１はカバー体１の自由端部に形成されているが、手挿入開口部１１は、例えば、図１３や図１４に示すように、カバー体自由端部１１’や１１”より他端部１２側へ寄った位置に形成されていてもよい。図１３や図１４に示す例では、ハンドルカバーを自転車ハンドルに装着したとき、該ハンドルのグリップ９１に対応する部分に、環状部材２を用いて形成されている。カバー体自由端部は図１４に例示するような、
斜めカット形態を提供するカバー体自由端部１１”のようなものでもよい。
【産業上の利用可能性】
【００４８】
本発明は、自転車運転者が自転車ハンドルを握るために手を差し入れたり、自転車ハンドルから離した手を抜き出すことを容易、円滑に行なうことができる、構造簡単、安価な自転車ハンドルカバーを提供することに利用できる。
【符号の説明】
【００４９】
１０  自転車ハンドルカバー
１  カバー体
１１   カバー体の手挿入開口部
１２、１２a、１２ｂ  カバー体他端部の開口部
１１’、１１”  カバー体自由端部
２  環状芯材
３  カバー体止め具
３１  紐通し部
３２  開口部絞り用紐
３２１、３２２  紐３２の端部
３３１、３３２、３５  紐
３４１、３４２  紐通し部
３６  ブレーキ取り付け具
９  自転車ハンドル
９１  ハンドルグリップ
Ｈ  自転車運転者の手
【図１】
2013173456.tif 000003
【図２】
2013173456.tif 000004
【図３】
2013173456.tif 000005
【図４】
2013173456.tif 000006
【図５】
2013173456.tif 000007
【図６】
2013173456.tif 000008
【図７】
2013173456.tif 000009
【図８】
2013173456.tif 000010
【図９】
2013173456.tif 000011
【図１０】
2013173456.tif 000012
【図１１】
2013173456.tif 000013
【図１２】
2013173456.tif 000014
【図１３】
2013173456.tif 000015
【図１４】
2013173456.tif 000016
【図１５】
2013173456.tif 000017
【図１６】
2013173456.tif 000018
【図１７】
2013173456.tif 000019